(57)【要約】【課題】光が透過しにくい導電材料によるダミー電極のスリットが視認される可能性を低減できるタッチ検出機能付き表示装置を提供することにある。【解決手段】導電性細線ＤＬは、第１方向と異なる方向に延びる細線片を複数含み、導電性細線ＤＬがスリットＳｔ１１、Ｓｔ１２、Ｓｔ１３、Ｓｔ２１、Ｓｔ２２及びＳｔ２３で分割されている。スリットＳｔ１１、Ｓｔ１２及びＳｔ１３が重なる色領域は、スリットＳｔ２１、Ｓｔ２２及びＳｔ２３が重なる色領域とは異なる色である。【選択図】図１５
2014191650.tif 000002
【特許請求の範囲】
【請求項１】
基板と、
前記基板の表面と平行な面に、複数の色領域で構成される画素が行列状に配置される表示領域と、
前記基板の表面と平行な面上の第１方向に延在する第１導電性細線を含む、タッチ検出電極と、
前記基板の表面に垂直な方向において前記第１導電性細線がない領域に設けられ第２導電性細線を複数含む、ダミー電極と、
前記タッチ検出電極に対して静電容量を有する駆動電極と、
前記表示領域に画像を表示する機能を有する表示機能層と、を含み、
前記第２導電性細線は、前記第１方向と異なる方向に延びる細線片を複数含み、第２導電性細線が前記細線片の間にあるスリットで分割されており、
前記スリットが重なり合う前記表示領域の色領域が、当該スリットに前記第１方向と直交する第２方向に最も近いスリットが重なり合う前記表示領域の色領域と異なる色である、タッチ検出機能付き表示装置。
【請求項２】
前記スリットが重なり合う前記表示領域の色領域が、当該スリットに前記第１方向に最も近いスリットが重なり合う前記表示領域の色領域と異なる色である、請求項１に記載のタッチ検出機能付き表示装置。
【請求項３】
前記第２導電性細線は、前記第１方向と平行に複数あり、
前記第２方向に第１の配列ピッチで配置された第１細線片と、
前記第２方向に前記第１の配列ピッチとは異なる間隔である第２の配列ピッチで配列された第２細線片とを含み、
前記第１細線片と、前記第２細線片とは、前記スリットで分割されている、請求項１又は請求項２に記載のタッチ検出機能付き表示装置。
【請求項４】
前記第１細線片と、前記第２細線片とは、前記第１方向の長さが同じである、請求項１から３のいずれか１項に記載のタッチ検出機能付き表示装置。
【請求項５】
前記第１導電性細線は、画素配列方向と平行に複数あり、隣り合う第１導電性細線の配列ピッチが、前記第１の配列ピッチと、前記第２の配列ピッチとを部分的に含むように、配置されている、請求項３又は請求項４に記載のタッチ検出機能付き表示装置。
【請求項６】
前記第２導電性細線は、第１端部と第２端部とを結んだ直線状の前記細線片を複数含み、隣り合う直線状の前記細線片のうち一方の直線状の細線片における前記第２端部と他方の直線状の細線片における前記第１端部とが接続される部分を屈曲部として含み、前記一方の直線状の細線片が前記第１方向に対して角度を有して延び、他方の直線状の細線片が前記屈曲部で前記第１方向に対する角度が変わるように前記一方の直線状の細線片と異なる方向に延びている、
請求項１又は請求項２に記載のタッチ検出機能付き表示装置。
【請求項７】
前記屈曲部における前記第１方向に対する角度を第１角度とした場合、当該屈曲部から前記第１方向に最も近い屈曲部における、前記第１方向に対する角度が第１角度とは異なる第２角度を有する、請求項６に記載のタッチ検出機能付き表示装置。
【請求項８】
前記第１導電性細線は、交差部を有する網目状になっており、前記第２導電性細線は、前記交差部に対応する部分が前記スリットになっている、請求項１から７のいずれか１項に記載のタッチ検出機能付き表示装置。
【請求項９】
基板と、
前記基板の表面と平行な面に、複数の色領域で構成される画素が行列状に配置される表示領域と、
前記基板の表面と平行な面上の第１方向に延在する第１導電性細線を含む、タッチ検出電極と、
前記基板の表面に垂直な方向において前記第１導電性細線がない領域に設けられ第２導電性細線を複数含む、ダミー電極と、
前記タッチ検出電極に対して静電容量を有する駆動電極と、
前記表示領域に画像を表示する機能を有する表示機能層と、を含み、
前記第２導電性細線は、画素配列方向と平行に複数あり、
前記第１方向と異なる方向に延びる部分を有し、かつ前記第１方向と直交する第２方向に第１の配列ピッチで配置された第１細線片と、
前記第１方向と異なる方向に延びる部分を有し、かつ前記第１細線片と前記第１方向の長さが同じであって、前記第２方向に前記第１の配列ピッチとは異なる間隔である第２の配列ピッチで配列された第２細線片とを含み、
前記第１細線片と、前記第２細線片とは、前記第１方向に重なり合わないように並び、前記第１細線片の１つの端部と、前記第２細線片の１つの端部が、前記第２方向に位置し、かつ重なり合わないことでスリットになり分割されている、タッチ検出機能付き表示装置。
【請求項１０】
タッチ検出機能付き表示装置を備え、
前記タッチ検出機能付き表示装置は、
基板と、
前記基板の表面と平行な面に、複数の色領域で構成される画素が行列状に配置される表示領域と、
前記基板の表面と平行な面上の第１方向に延在する第１導電性細線を含む、タッチ検出電極と、
前記基板の表面に垂直な方向において前記第１導電性細線がない領域に設けられ第２導電性細線を複数含む、ダミー電極と、
前記タッチ検出電極に対して静電容量を有する駆動電極と、
前記表示領域に画像を表示する機能を有する表示機能層と、を含み、
前記第２導電性細線は、前記第１方向と異なる方向に延びる細線片を複数含み、第２導電性細線が前記細線片の間にあるスリットで分割されており、
前記スリットが重なり合う前記表示領域の色領域が、当該スリットに前記第１方向と直交する第２方向に最も近いスリットが重なり合う前記表示領域の色領域と異なる色である、電子機器。
【請求項１１】
タッチ検出機能付き表示装置を備え、
前記タッチ検出機能付き表示装置は、
基板と、
前記基板の表面と平行な面上の第１方向に、複数の色領域で構成される画素が行列状に配置される表示領域と、
前記基板の表面と平行な面に延在する第１導電性細線を含む、タッチ検出電極と、
前記基板の表面に垂直な方向において前記第１導電性細線がない領域に設けられ第２導電性細線を複数含む、ダミー電極と、
前記タッチ検出電極に対して静電容量を有する駆動電極と、
前記表示領域に画像を表示する機能を有する表示機能層と、を含み、
前記第２導電性細線は、画素配列方向と平行に複数あり、
前記第１方向と異なる方向に延びる部分を有し、かつ前記第２方向に第１の配列ピッチで配置された第１細線片と、
前記第１方向と異なる方向に延びる部分を有し、かつ前記第１細線片と前記第１方向の長さが同じであって、前記第２方向に前記第１の配列ピッチとは異なる間隔である第２の配列ピッチで配列された第２細線片とを含み、
前記第１細線片と、前記第２細線片とは、前記第１方向に重なり合わないように並び、前記第１細線片の１つの端部と、前記第２細線片の１つの端部が、前記第２方向に位置し、かつ重なり合わないことでスリットになり分割されている、電子機器。
【発明の詳細な説明】
【技術分野】
【０００１】
本発明は、外部近接物体を検出可能な表示装置に係り、特に静電容量の変化に基づいて外部近接物体を検出可能なタッチ検出機能付き表示装置及び電子機器に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着又は一体化される、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、透光性電極パターンの不可視化対策がされたタッチパネルが記載されている。
【０００４】
また、特許文献２には、少なくとも部分的に分離され、不連続部分でも非視認性に優れるメッシュパターンを有する網目状導電性パターン並びにその網目状導電性パターンを含む導体層パターン付き基材及びタッチパネル部材が記載されている。
【先行技術文献】
【特許文献】
【０００５】
【特許文献１】特開２０１０−１９７５７６号公報
【特許文献２】特開２０１１−０５９７７１号公報
【発明の概要】
【発明が解決しようとする課題】
【０００６】
さらに、タッチ検出機能付き表示装置では、薄型化、大画面化又は高精細化のため、タッチ検出電極の低抵抗化が求められている。タッチ検出電極は、透光性電極の材料としてＩＴＯ（Indium  Tin  Oxide）等の透光性導電酸化物が用いられている。タッチ検出電極を低抵抗にするには、金属材料などの導電性材料を用いることが有効である。金属材料などの導電性材料は、ＩＴＯ等の透明導電酸化物に比較して透過する光が少ないため、透過率が低下する可能性又はタッチ検出電極のパターンが視認されてしまう可能性がある。そこで、タッチ検出電極のパターンと、タッチ検出電極のパターンとの間に、タッチ検出電極と同じ遮光性を有するダミー電極のパターンを配置することで、タッチ検出電極のパターンが視認されてしまう可能性を低減できる。タッチ検出に寄与しないダミー電極のパターンは、タッチ検出電極との容量差を生じさせるためスリットにより細かく分割される必要がある。
【０００７】
スリットのないタッチ検出電極と、スリットのあるダミー電極とがある場合、スリット自体を視認しにくくする必要がある。スリット自体が視認されることで、ダミー電極が視認されてしまうからである。そこで、特許文献２に記載のように、スリットの形状を工夫して、スリットの視認性を改善する技術が提案されている。しかしながら、特許文献２の技術によっても、表示装置の色領域とスリットとの位置関係によっては、スリットが視認される可能性がある。
【０００８】
本開示は、かかる問題点に鑑みてなされたもので、その目的は、光が透過しにくい導電材料によるダミー電極のスリットが視認される可能性を低減できるタッチ検出機能付き表示装置及び電子機器を提供することにある。
【課題を解決するための手段】
【０００９】
本開示のタッチ検出機能付き表示装置は、基板と、前記基板の表面と平行な面に、複数の色領域で構成される画素が行列状に配置される表示領域と、前記基板の表面と平行な面上の第１方向に延在する第１導電性細線を含む、タッチ検出電極と、前記基板の表面に垂直な方向において前記第１導電性細線がない領域に設けられ第２導電性細線を複数含む、ダミー電極と、前記タッチ検出電極に対して静電容量を有する駆動電極と、前記表示領域に画像を表示する機能を有する表示機能層と、を含み、前記第２導電性細線は、前記第１方向と異なる方向に延びる細線片を複数含み、第２導電性細線が前記細線片の間にあるスリットで分割されており、前記スリットが重なり合う前記表示領域の色領域が、当該スリットに前記第１方向と直交する第２方向に最も近いスリットが重なり合う前記表示領域の色領域と異なる色である。
【００１０】
本開示のタッチ検出機能付き表示装置は、基板と、前記基板の表面と平行な面に、複数の色領域で構成される画素が行列状に配置される表示領域と、前記基板の表面と平行な面上の第１方向に延在する第１導電性細線を含む、タッチ検出電極と、前記基板の表面に垂直な方向において前記第１導電性細線がない領域に設けられ第２導電性細線を複数含む、ダミー電極と、前記タッチ検出電極に対して静電容量を有する駆動電極と、前記表示領域に画像を表示する機能を有する表示機能層と、を含み、前記第２導電性細線は、画素配列方向と平行に複数あり、前記第１方向と異なる方向に延びる部分を有し、かつ前記第１方向と直交する第２方向に第１の配列ピッチで配置された第１細線片と、前記第１方向と異なる方向に延びる部分を有し、かつ前記第１細線片と前記第１方向の長さが同じであって、前記第２方向に前記第１の配列ピッチとは異なる間隔である第２の配列ピッチで配列された第２細線片とを含み、前記第１細線片と、前記第２細線片とは、前記第１方向に重なり合わないように並び、前記第１細線片の１つの端部と、前記第２細線片の１つの端部が、前記第２方向に位置し、かつ重なり合わないことでスリットになり分割されている。
【００１１】
本開示の電子機器は、上記タッチ検出機能付き表示装置を備えたものである。本開示の電子機器は、例えば、テレビジョン装置、デジタルカメラ、パーソナルコンピュータ、ビデオカメラあるいは携帯電話等の携帯端末装置などが該当する。
【発明の効果】
【００１２】
本開示のタッチ検出機能付き表示装置及び電子機器によれば、光が透過しにくい導電材料によるダミー電極のスリットが視認される可能性を低減できる。
【図面の簡単な説明】
【００１３】
【図１】図１は、実施形態１に係るタッチ検出機能付き表示装置の一構成例を表すブロック図である。
【図２】図２は、静電容量型タッチ検出方式の基本原理を説明するため、指が接触又は近接していない状態を表す説明図である。
【図３】図３は、図２に示す指が接触又は近接していない状態の等価回路の例を示す説明図である。
【図４】図４は、静電容量型タッチ検出方式の基本原理を説明するため、指が接触又は近接した状態を表す説明図である。
【図５】図５は、図４に示す指が接触又は近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、タッチ検出機能付き表示装置を実装したモジュールの一例を示す図である。
【図９】図９は、実施形態１に係るタッチ検出機能付き表示デバイスの概略断面構造を表す断面図である。
【図１０】図１０は、実施形態１に係るタッチ検出機能付き表示デバイスの画素配置を表す回路図である。
【図１１】図１１は、実施形態１に係るタッチ検出機能付き表示装置の駆動電極及びタッチ検出電極の一構成例を表す斜視図である。
【図１２】図１２は、実施形態１に係るタッチ検出機能付き表示装置の一動作例を表すタイミング波形図である。
【図１３】図１３は、実施形態１に係るタッチ検出電極及びダミー電極の配置を表す模式図である。
【図１４】図１４は、実施形態１の変形例に係るタッチ検出電極及びダミー電極の配置を表す模式図である。
【図１５】図１５は、実施形態１に係るダミー電極のスリットと、表示領域の色領域との位置関係を説明するための説明図である。
【図１６】図１６は、比較例に係るダミー電極のスリットと、表示領域の色領域との位置関係を説明するための説明図である。
【図１７】図１７は、実施形態２に係るタッチ検出電極及びダミー電極の配置を表す模式図である。
【図１８】図１８は、実施形態３に係るタッチ検出電極及びダミー電極の配置を表す模式図である。
【図１９】図１９は、実施形態３の変形例に係るタッチ検出電極及びダミー電極の配置を表す模式図である。
【図２０】図２０は、実施形態４に係るタッチ検出電極及びダミー電極の配置を表す模式図である。
【図２１】図２１は、実施形態４の変形例に係るタッチ検出電極及びダミー電極の配置を表す模式図である。
【図２２】図２２は、実施形態５に係るタッチ検出電極及びダミー電極の配置を表す模式図である。
【図２３】図２３は、実施形態５の変形例に係るタッチ検出電極及びダミー電極の配置を表す模式図である。
【図２４】図２４は、実施形態５に係るダミー電極のスリットと、表示領域の色領域との位置関係を説明するための説明図である。
【図２５】図２５は、本実施形態に係る画素配列方向を説明するための模式図である。
【図２６】図２６は、本実施形態に係る画素配列方向を説明するための模式図である。
【図２７】図２７は、本実施形態に係る画素配列方向を説明するための模式図である。
【図２８】図２８は、本実施形態に係る画素配列方向を説明するための模式図である。
【図２９】図２９は、本実施形態に係るタッチ検出機能付き表示デバイスの概略断面構造を表す断面図である。
【図３０】図３０は、本実施形態に係るタッチ検出機能付き表示装置又は表示装置を適用する電子機器の一例を示す図である。
【図３１】図３１は、本実施形態に係るタッチ検出機能付き表示装置又は表示装置を適用する電子機器の一例を示す図である。
【図３２】図３２は、本実施形態に係るタッチ検出機能付き表示装置又は表示装置を適用する電子機器の一例を示す図である。
【図３３】図３３は、本実施形態に係るタッチ検出機能付き表示装置又は表示装置を適用する電子機器の一例を示す図である。
【図３４】図３４は、本実施形態に係るタッチ検出機能付き表示装置又は表示装置を適用する電子機器の一例を示す図である。
【図３５】図３５は、本実施形態に係るタッチ検出機能付き表示装置又は表示装置を適用する電子機器の一例を示す図である。
【図３６】図３６は、本実施形態に係るタッチ検出機能付き表示装置又は表示装置を適用する電子機器の一例を示す図である。
【図３７】図３７は、本実施形態に係るタッチ検出機能付き表示装置又は表示装置を適用する電子機器の一例を示す図である。
【図３８】図３８は、本実施形態に係るタッチ検出機能付き表示装置又は表示装置を適用する電子機器の一例を示す図である。
【図３９】図３９は、本実施形態に係るタッチ検出機能付き表示装置又は表示装置を適用する電子機器の一例を示す図である。
【図４０】図４０は、本実施形態に係るタッチ検出機能付き表示装置又は表示装置を適用する電子機器の一例を示す図である。
【図４１】図４１は、本実施形態に係るタッチ検出機能付き表示装置又は表示装置を適用する電子機器の一例を示す図である。
【図４２】図４２は、本実施形態に係るタッチ検出機能付き表示装置又は表示装置を適用する電子機器の一例を示す図である。
【発明を実施するための形態】
【００１４】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
１−３．実施形態３
１−４．実施形態４
１−５．実施形態５
１−６．実施形態の変形例
２．適用例（電子機器）
上記実施形態に係るタッチ検出機能付き表示装置が電子機器に適用されている例
３．本開示の構成
【００１５】
＜１−１．実施形態１＞
［構成例］
（全体構成例）
図１は、実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した、装置である。なお、タッチ検出機能付き表示デバイス１０は、表示素子として液晶表示素子を用いている液晶表示デバイス２０の上に、静電容量型のタッチ検出デバイス３０を装着した、装置であってもよい。なお、液晶表示デバイス２０は、例えば、有機ＥＬ表示デバイスであってもよい。
【００１６】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１７】
ゲートドライバ１２は、制御部１１から供給される制御信号に基づいて、タッチ検出機能付き表示デバイス１０の表示駆動の対象となる１水平ラインを順次選択する機能を有している。
【００１８】
ソースドライバ１３は、制御部１１から供給される画像信号Ｖｓｉｇの制御信号に基づいて、タッチ検出機能付き表示デバイス１０の、後述する各副画素ＳＰｉｘに画素信号Ｖｐｉｘを供給する回路である。
【００１９】
駆動電極ドライバ１４は、制御部１１から供給される制御信号に基づいて、タッチ検出機能付き表示デバイス１０の、後述する駆動電極ＣＯＭＬに駆動信号Ｖｃｏｍを供給する回路である。
【００２０】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（後述する接触又は近接の状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００２１】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００２２】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置１におけるタッチ検出の基本原理について説明する。図２は、静電容量型タッチ検出方式の基本原理を説明するため、指が接触又は近接していない状態を表す説明図である。図３は、図２に示す指が接触又は近接していない状態の等価回路の例を示す説明図である。図４は、静電容量型タッチ検出方式の基本原理を説明するため、指が接触又は近接した状態を表す説明図である。図５は、図４に示す指が接触又は近接した状態の等価回路の例を示す説明図である。図６は、駆動信号及びタッチ検出信号の波形の一例を表す図である。
【００２３】
例えば、図２及び図４に示すように、容量素子Ｃ１は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００２４】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２５】
指が接触（又は近接）していない状態（非接触状態）では、図２及び図３に示すように、容量素子Ｃ１に対する充放電に伴って、容量素子Ｃ１の容量値に応じた電流Ｉ０が流れる。図６に示すように電圧検出器ＤＥＴは、交流矩形波Ｓｇに応じた電流Ｉ０の変動を電圧の変動（実線の波形Ｖ０）に変換する。
【００２６】
一方、指が接触（又は近接）した状態（接触状態）では、図４に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２７】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２８】
タッチ検出デバイス３０は、複数の後述するタッチ検出電極ＴＤＬから、図３又は図５に示す電圧検出器ＤＥＴを介して、検出ブロックごとにタッチ検出信号Ｖｄｅｔを出力し、タッチ検出部４０のＡ／Ｄ変換部４３に供給するようになっている。
【００２９】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００３０】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００３１】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３２】
（モジュール）
図７及び図８は、タッチ検出機能付き表示装置を実装したモジュールの一例を示す図である。図７に示すように、タッチ検出機能付き表示装置１は、モジュールへ実装するにあたり、ガラス基板のＴＦＴ基板２１上に上述した駆動電極ドライバ１４を形成してもよい。
【００３３】
図７に示すように、タッチ検出機能付き表示装置１は、タッチ検出機能付き表示デバイス１０と、駆動電極ドライバ１４と、ＣＯＧ（Chip  On  Glass）１９Ａとを有している。このタッチ検出機能付き表示デバイス１０は、後述するＴＦＴ基板２１の表面に対する垂直方向において、駆動電極ＣＯＭＬと、駆動電極ＣＯＭＬと立体交差するように形成されたタッチ検出電極ＴＤＬとを模式的に示している。つまり、駆動電極ＣＯＭＬは、タッチ検出機能付き表示デバイス１０の１辺に沿う方向に形成されており、タッチ検出電極ＴＤＬは、タッチ検出機能付き表示デバイス１０の他辺に沿う方向に形成されている。タッチ検出電極ＴＤＬの出力は、タッチ検出機能付き表示デバイス１０の前記他辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。また、図８に示すように、タッチ検出機能付き表示装置１は、ＣＯＧ（Chip  On  Glass）に駆動電極ドライバ１４を内蔵してもよい。
【００３４】
図８に示すように、タッチ検出機能付き表示装置１は、モジュールはＣＯＧ１９Ｂを有している。図８に示すＣＯＧ１９Ｂは、上述した表示動作に必要な各回路に加え、駆動電極ドライバ１４をさらに内蔵したものである。タッチ検出機能付き表示装置１は、後述するように、表示動作の際に、１水平ラインずつ線順次走査を行う。つまり、タッチ検出機能付き表示装置１は、表示走査を、タッチ検出機能付き表示デバイス１０の１辺に沿う方向と平行に行う。一方、タッチ検出機能付き表示装置１は、タッチ検出動作の際に、駆動電極ＣＯＭＬに駆動信号Ｖｃｏｍを順次印加することにより、１検出ラインずつ線順次走査が行われる。つまり、タッチ検出機能付き表示装置１は、タッチ検出走査を、タッチ検出機能付き表示デバイス１０の他辺に沿う方向と平行に行う。
【００３５】
（タッチ検出機能付き表示デバイス）
次に、タッチ検出機能付き表示デバイス１０の構成例を詳細に説明する。図９は、実施形態１に係るタッチ検出機能付き表示デバイスの概略断面構造を表す断面図である。図１０は、実施形態１に係るタッチ検出機能付き表示デバイスの画素配置を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３６】
画素基板２は、回路基板としてのＴＦＴ基板２１と、このＴＦＴ基板２１上に行列状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１０に示す各副画素ＳＰｉｘの薄膜トランジスタ（ＴＦＴ；Thin Film Transistor）素子Ｔｒ、図９に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図１０に示す液晶表示デバイス２０は、行列状に配置した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソース又はドレインの一方は信号線ＳＧＬに接続され、ゲートは走査線ＧＣＬに接続され、ソース又はドレインの他方は液晶素子ＬＣの一端に接続されている。液晶素子ＬＣは、例えば、一端がＴＦＴ素子Ｔｒのドレインに接続され、他端が駆動電極ＣＯＭＬに接続されている。
【００３７】
図１０に示す副画素ＳＰｉｘは、走査線ＧＣＬにより、液晶表示デバイス２０の同じ行に属する他の副画素ＳＰｉｘと互いに接続されている。走査線ＧＣＬは、ゲートドライバ１２と接続され、ゲートドライバ１２より走査信号Ｖｓｃａｎが供給される。また、副画素ＳＰｉｘは、信号線ＳＧＬにより、液晶表示デバイス２０の同じ列に属する他の副画素ＳＰｉｘと互いに接続されている。信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一行に属する複数の副画素ＳＰｉｘが一本の駆動電極ＣＯＭＬを共有するようになっている。実施形態１の駆動電極ＣＯＭＬの延びる方向は、走査線ＧＣＬの延びる方向と平行である。実施形態１の駆動電極ＣＯＭＬの延びる方向は、限定されず、例えば、駆動電極ＣＯＭＬの延びる方向は、信号線ＳＧＬの延びる方向と平行な方向であってもよい。
【００３８】
図１に示すゲートドライバ１２は、走査信号Ｖｓｃａｎを、図１０に示す走査線ＧＣＬを介して、画素ＰｉｘのＴＦＴ素子Ｔｒのゲートに印加することにより、液晶表示デバイス２０に行列状に形成されている副画素ＳＰｉｘのうちの１行（１水平ライン）を表示駆動の対象として順次選択する。図１に示すソースドライバ１３は、画素信号Ｖｐｉｘを、図１０に示す信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図７及び図８に示す、所定の本数の駆動電極ＣＯＭＬからなるブロックごとに駆動電極ＣＯＭＬを駆動する。
【００３９】
上述したように、液晶表示デバイス２０は、ゲートドライバ１２が走査線ＧＣＬを時分割的に線順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００４０】
本実施形態に係る駆動電極ＣＯＭＬは、液晶表示デバイス２０の駆動電極として機能するとともに、タッチ検出デバイス３０の駆動電極としても機能する。図１１は、本実施形態に係るタッチ検出機能付き表示装置の駆動電極及びタッチ検出電極の一構成例を表す斜視図である。図１１に示す駆動電極ＣＯＭＬは、図９に示すように、ＴＦＴ基板２１の表面に対する垂直方向において、画素電極２２に対向している。タッチ検出デバイス３０は、画素基板２に設けられた駆動電極ＣＯＭＬと、対向基板３に設けられたタッチ検出電極ＴＤＬにより構成されている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。
【００４１】
この構成により、タッチ検出デバイス３０では、タッチ検出動作を行う際、駆動電極ドライバ１４が、駆動電極ブロックを時分割的に線順次走査するように駆動する。これにより、スキャン方向Ｓｃａｎに駆動電極ＣＯＭＬの１検出ブロックが順次選択される。そして、タッチ検出電極ＴＤＬからタッチ検出信号Ｖｄｅｔを出力する。このようにタッチ検出デバイス３０は、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図１１に示すように、互いに交差した電極パターンは、静電容量式タッチセンサを行列状に構成している。よって、タッチ検出デバイス３０のタッチ検出面全体にわたって走査することにより、外部近接物体の接触又は近接が生じた位置の検出も可能となっている。
【００４２】
液晶層６は、電界の状態に応じてそこを通過する光を変調するものであり、例えば、ＦＦＳ（フリンジフィールドスイッチング）又はＩＰＳ（インプレーンスイッチング）等の横電界モードの液晶を用いた液晶表示デバイスが用いられる。なお、図９に示す液晶層６と画素基板２との間、及び液晶層６と対向基板３との間には、それぞれ配向膜が配設されてもよい。
【００４３】
対向基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４４】
図９に示すカラーフィルタ３２は、例えば赤（Ｒ）、緑（Ｇ）、青（Ｂ）の３色に着色されたカラーフィルタの色領域を周期的に配置して、上述した図１０に示す各副画素ＳＰｉｘにＲ、Ｇ、Ｂの３色の色領域３２Ｒ、３２Ｇ、３２Ｂ（図１０参照）が対応付けられ、色領域３２Ｒ、３２Ｇ、３２Ｂを１組として画素Ｐｉｘを構成している。画素Ｐｉｘは、走査線ＧＣＬに平行な方向及び信号線ＳＧＬに平行な方向に沿って行列状に配置され、後述する表示領域Ａｄを形成する。カラーフィルタ３２は、ＴＦＴ基板２１と垂直な方向において、液晶層６と対向する。このように、副画素ＳＰｉｘは、単色の色表示を行うことができる。なお、カラーフィルタ３２は、異なる色に着色されていれば、他の色の組み合わせであってもよい。また、カラーフィルタ３２は、なくてもよい。このように、カラーフィルタ３２が存在しない領域、すなわち透光性な副画素ＳＰｉｘがあってもよい。
【００４５】
ここで、ガラス基板３１は、本開示における「基板」の一具体例に対応する。色領域３２Ｒ、３２Ｇ、３２Ｂは、本開示における「色領域」の一具体例に対応する。画素Ｐｉｘは、本開示における「画素」の一具体例に対応する。表示領域Ａｄは、本開示における「表示領域」の一具体例に対応する。タッチ検出電極ＴＤＬは、本開示における「タッチ検出電極」の一具体例に対応する。導電性細線ＭＬは、本開示における「第１導電性細線」の一具体例に対応する。ダミー電極ＴＤＤは、本開示における「ダミー電極」の一具体例に対応する。導電性細線ＤＬは、本開示における「第２導電性細線」の一具体例に対応する。駆動電極ＣＯＭＬは、本開示における「駆動電極」の一具体例に対応する。液晶層６は、本開示における「表示機能層」の一具体例に対応する。
【００４６】
［動作及び作用］
続いて、実施形態１のタッチ検出機能付き表示装置１の動作及び作用について説明する。
【００４７】
駆動電極ＣＯＭＬは、液晶表示デバイス２０の共通駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００４８】
（全体動作概要）
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、表示期間Ｂにおいて、液晶表示デバイス２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００４９】
表示期間Ｂでは、駆動電極ドライバ１４が１水平ラインに係る駆動電極ブロックに表示駆動信号Ｖｃｏｍｄを印加し、タッチ検出期間Ａでは、駆動電極ドライバ１４がタッチ検出動作に係る駆動電極ブロックに対してタッチ駆動信号Ｖｃｏｍｔを順次印加し、１検出ブロックを順次選択する。タッチ検出機能付き表示デバイス１０は、表示期間Ｂにおいて、ゲートドライバ１２、ソースドライバ１３、及び駆動電極ドライバ１４により供給された信号に基づいて表示動作を行う。タッチ検出機能付き表示デバイス１０は、タッチ検出期間Ａにおいて、駆動電極ドライバ１４により供給された信号に基づいてタッチ検出動作を行い、タッチ検出電極ＴＤＬからタッチ検出信号Ｖｄｅｔを出力する。タッチ検出信号増幅部４２は、タッチ検出信号Ｖｄｅｔを増幅して出力する。Ａ／Ｄ変換部４３は、タッチ駆動信号Ｖｃｏｍｔに同期したタイミングで、タッチ検出信号増幅部４２から出力されるアナログ信号をデジタル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求める。制御部１１は、検出タイミング制御部４６を制御して、タッチ駆動信号Ｖｃｏｍｔのサンプリング周波数を変更する。
【００５０】
（詳細動作）
次に、タッチ検出機能付き表示装置１の詳細動作を説明する。図１２は、実施形態１に係るタッチ検出機能付き表示装置の一動作例を表すタイミング波形図である。図１２に示すように、液晶表示デバイス２０は、ゲートドライバ１２から供給される走査信号Ｖｓｃａｎに従って、走査線ＧＣＬのうちの、隣接する（ｎ−１）行目、ｎ行目、（ｎ＋１）行目の走査線ＧＣＬ１水平ラインずつ順次走査して表示を行う。同様に、駆動電極ドライバ１４は、制御部１１から供給される制御信号に基づいて、タッチ検出機能付き表示デバイス１０の、駆動電極ＣＯＭＬのうちの、隣接する（ｍ−１）列目、ｍ列目、（ｍ＋１）列目に供給する。
【００５１】
このように、タッチ検出機能付き表示装置１では、１表示水平期間（１Ｈ）ごとに、タッチ検出動作（タッチ検出期間Ａ）と表示動作（表示期間Ｂ）を時分割的に行う。タッチ検出動作では、１表示水平期間１Ｈごとに、異なる駆動電極ＣＯＭＬを選択して駆動信号Ｖｃｏｍを印加することにより、タッチ検出の走査を行う。以下に、その動作を詳細に説明する。
【００５２】
まず、ゲートドライバ１２が、（ｎ−１）行目の走査線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００５３】
次に、タッチ検出期間Ａにおいて、駆動電極ドライバ１４が、（ｍ−１）列目の駆動電極ＣＯＭＬに対して駆動信号Ｖｃｏｍｔを印加し、駆動信号Ｖｃｏｍ（ｍ−１）が低レベルから高レベルに変化する。この駆動信号Ｖｃｏｍ（ｍ−１）は、静電容量を介してタッチ検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１では、１検出ラインのタッチ検出が行われる。
【００５４】
次に、表示期間Ｂにおいて、ソースドライバ１３が、信号線ＳＧＬに対して画素信号Ｖｐｉｘを印加し、１水平ラインに対する表示を行う。また、駆動電極ドライバ１４が表示駆動信号Ｖｃｏｍｄを駆動電極ＣＯＭＬに共通電位として印加している。ここで、表示駆動信号Ｖｃｏｍｄの電位は、例えば、タッチ検出期間Ａにおける駆動信号Ｖｃｏｍｔの低レベルの電位となっている。なお、図１２に示したように、この画素信号Ｖｐｉｘの変化が、寄生容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査線ＧＣＬの走査信号Ｖｓｃａｎ（ｎ−１）を高レベルから低レベルに変化させ、１表示水平期間が終了する。
【００５５】
次に、ゲートドライバ１２は、先ほどとは異なるｎ行目の走査線ＧＣＬに対して走査信号Ｖｓｃａｎを印加し、走査信号Ｖｓｃａｎ（ｎ）が低レベルから高レベルに変化する。これにより、次の１表示水平期間が開始する。
【００５６】
次のタッチ検出期間Ａにおいて、駆動電極ドライバ１４が、先ほどとは異なるｍ列目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００５７】
次に、表示期間Ｂにおいて、ソースドライバ１３が、信号線ＳＧＬに対して画素信号Ｖｐｉｘを印加し、１水平ラインに対する表示を行う。なお、本実施形態のタッチ検出機能付き表示装置１はドット反転駆動を行うため、ソースドライバ１３が印加する画素信号Ｖｐｉｘは、前の１表示水平期間のものと比べて、その極性が反転している。この表示期間Ｂが終了した後、この１表示水平期間１Ｈが終了する。
【００５８】
これ以降、上述した動作を繰り返すことにより、タッチ検出機能付き表示装置１は、表示面全面にわたる走査により表示動作を行うとともに、タッチ検出面全面にわたる走査によりタッチ検出動作を行う。
【００５９】
タッチ検出機能付き表示装置１では、１表示水平期間（１Ｈ）において、タッチ検出動作はタッチ検出期間Ａに行い、表示動作は表示期間Ｂに行うようにしている。このように、タッチ検出動作と表示動作とを別々の期間に行うようにしたので、同じ１表示水平期間において表示動作とタッチ検出動作の両方を行うことができるとともに、表示動作のタッチ検出に対する影響を抑えることができる。
【００６０】
（タッチ検出電極の配置）
図１３は、実施形態１に係るタッチ検出電極及びダミー電極の配置を表す模式図である。図１３に示すように、実施形態１に係るタッチ検出電極ＴＤＬは、対向基板３と平行な平面上で画素配列方向Ｄｙ（第１方向）に延在する複数の導電性細線ＭＬを含む。導電性細線ＭＬの端部ＭＬｅで第１導通部ＴＤＢ１を介して接続され、導電性細線ＭＬ同士は、領域ＴＤＡに属する。領域ＴＤＡにおいて、複数の導電性細線ＭＬは導通し、かつ互いに一定の間隔を有して延在する。複数の領域ＴＤＡは、互いに一定の間隔を有して延在している。複数の領域ＴＤＡは、第１導通部ＴＤＢ１同士が第２導通部ＴＤＢ２を介して接続され導通している。第２導通部ＴＤＢ２は、検出配線ＴＤＧを介して図１に示すタッチ検出部４０に接続される。また、第１導通部ＴＤＢ１及び第２導通部ＴＤＢ２は、導電性細線ＭＬと同じ材料で形成される。上記の構成により、導電性細線ＭＬが認識し難くなると同時に、一定の範囲に対して複数の導電性細線ＭＬでタッチ検出を行うため、タッチ検出を行う際の抵抗を低くすることができる。
【００６１】
導電性細線ＭＬは、細線片Ｕａと細線片Ｕｂを含む。細線片Ｕａは、画素配列方向Ｄｙに対して角度を有して延びる導電性材料のパターンであり、第１端部Ｕａ１と第２端部Ｕａ２を含む。同様に、細線片Ｕｂは、細線片Ｕａが延びる方向と異なる方向に延びる導電性材料のパターンであり、第１端部Ｕｂ１と第２端部Ｕｂ２を含む。細線片Ｕａと細線片Ｕｂとは、細線片Ｕａの第２端部Ｕａ２と細線片Ｕｂの第１端部Ｕｂ１とが接続され導通している。
【００６２】
また、細線片Ｕａの第２端部Ｕａ２と細線片Ｕｂの第１端部Ｕｂ１との接続部は、導電性細線ＭＬの屈曲部ＴＤＣとなり、細線片Ｕａと細線片Ｕｂとは、屈曲部ＴＤＣごとに所定の角度で折り返されている。例えば、実施形態１に係る導電性細線ＭＬは、細線片Ｕａの長さと細線片Ｕｂの長さは等しい。そして、細線片Ｕａの延びる方向が画素配列方向Ｄｙに対してなす角度の大きさと、細線片Ｕｂの延びる方向が画素配列方向Ｄｙに対してなす角度の大きさは等しい。実施形態１に係る導電性細線ＭＬは、屈曲部ＴＤＣごとに画素直交方向Ｄｘ（第２方向）に屈曲する方向が変化している。細線片Ｕａ及び細線片Ｕｂの幅は、画素サイズによもよるが１μｍ以上かつ１０μｍ以下の範囲にあるのが好ましい。又は、細線片Ｕａ及び細線片Ｕｂの幅は、画素Ｐｉｘの短辺の１／４０以上、画素Ｐｉｘの短辺の１／１０以下としてもよい。細線片Ｕａ及び細線片Ｕｂの幅は、１０μｍ以上であると人間に視認される可能性があり、幅が１μｍ以下であると抵抗が高くなる可能性、又は細線片Ｕａ及び細線片Ｕｂのパターンが製造工程においてきれてしまう可能性があるためである。
【００６３】
タッチ検出電極ＴＤＬの導電性細線ＭＬは、導電性の金属材料であって、アルミニウム（Ａｌ）、銅（Ｃｕ）、銀（Ａｇ）、モリブデン（Ｍｏ）、クロム（Ｃｒ）、タングステン（Ｗ）、これらの合金の金属材料で形成される。又は、タッチ検出電極ＴＤＬの導電性細線ＭＬは、アルミニウム（Ａｌ）、銅（Ｃｕ）、銀（Ａｇ）、モリブデン（Ｍｏ）、クロム（Ｃｒ）、タングステン（Ｗ）、これらの酸化物（金属酸化物）で形成され、導電性を有している。導電性細線ＭＬは、上述した金属材料と、上述した金属酸化物とを１以上積層した積層体でパターニングされていてもよい。導電性細線ＭＬは、上述した金属材料又は金属酸化物と、透光性電極の材料としてＩＴＯ（Indium  Tin  Oxide）等の透光性導電酸化物とを１以上積層した積層体でパターニングされていてもよい。導電性細線ＭＬは、透光性電極の材料としてＩＴＯ（Indium  Tin  Oxide）等の透光性導電酸化物よりも低抵抗である。導電性細線ＭＬの材料は、同じ膜厚での透過率がＩＴＯ（Indium  Tin  Oxide）の透過率よりも低い。例えば、導電性細線ＭＬの材料は、透過率が１０％以下であってもよい。
【００６４】
図１３に示すように、複数の領域ＴＤＡは、互いに一定の間隔を有して配置されている。タッチ検出電極ＴＤＬの導電性細線ＭＬが配置される領域と、タッチ検出電極ＴＤＬの導電性細線ＭＬがない領域とでは、遮光性に差があるので、タッチ検出電極ＴＤＬが視認されやすくなる可能性がある。このため、対向基板３には、検出配線ＴＤＧに接続されていないダミー電極ＴＤＤが隣り合う領域ＴＤＡの間に配置されている。ダミー電極ＴＤＤは、タッチ検出電極ＴＤＬの導電性細線ＭＬと同じ材料で形成される導電性細線ＤＬを複数配列している。ダミー電極ＴＤＤの導電性細線ＤＬは、タッチ検出電極ＴＤＬと同程度の遮光性を有していれば、異なる材料であってもよい。導電性細線ＤＬの材料は、同じ膜厚での透過率がＩＴＯ（Indium  Tin  Oxide）の透過率よりも低い。例えば、導電性細線ＭＬの材料は、透過率が１０％以下であってもよい。ダミー電極ＴＤＤは、検出配線ＴＤＧに接続されていない。
【００６５】
また、図１３に示す導電性細線ＤＬは、細線片Ｕｃ及び細線片Ｕｄを含む。細線片Ｕｃは、画素配列方向Ｄｙに対して角度を有して延びる導電性材料のパターンであり、第１端部Ｕｃ１と第２端部Ｕｃ２を含む。同様に、細線片Ｕｄは、細線片Ｕｃが延びる方向と異なる方向に延びる導電性材料のパターンであり、第１端部Ｕｄ１と第２端部Ｕｄ２を含む。細線片Ｕｃは、細線片Ｕａと同程度の大きさを有し、細線片Ｕａの延びる方向と平行に配置されている。細線片Ｕｄは、細線片Ｕｂと同程度の大きさを有し、細線片Ｕｂの延びる方向と平行に配置されている。これにより、タッチ検出電極ＴＤＬが配置される領域と、そうでない領域との遮光性の差が小さくなるため、タッチ検出電極ＴＤＬが視認される可能性を低減できる。また、細線片Ｕｃの第１端部Ｕｃ１と細線片Ｕｄの第２端部Ｕｄ２との接続部は、屈曲部ＴＤＤＧとなり、細線片Ｕｃと細線片Ｕｄとは、屈曲部ＴＤＤＧごとに所定の角度で折り返されている。細線片Ｕｃ及び細線片Ｕｄの幅は、画素サイズによもよるが１μｍ以上かつ１０μｍ以下の範囲にあるのが好ましい。又は、細線片Ｕｃ及び細線片Ｕｄの幅は、画素Ｐｉｘの短辺の１／４０以上、画素Ｐｉｘの短辺の１／１０以下としてもよい。細線片Ｕｃ及び細線片Ｕｄの幅は、１０μｍ以上であると人間に視認される可能性があり、幅が１μｍ以下であると同程度の大きさの細線片Ｕａ及び細線片Ｕｂの抵抗が高くなる可能性、又は細線片Ｕｃ及び細線片Ｕｄのパターンが製造工程においてきれてしまう可能性があるためである。
【００６６】
ダミー電極ＴＤＤの導電性細線ＤＬは、細線片Ｕｃと細線片Ｕｄとの間に、導電性細線ＭＬと同じ材料がない分割部であるスリットＳｔを有する。このため、スリットＳｔは、細線片Ｕｃと細線片Ｕｄとの電気的な導通を妨げ、タッチ検出電極との容量差を生じさせる。このため、タッチ検出の際、指がタッチ検出電極ＴＤＬとダミー電極ＴＤＤとの両方に近接した場合でも、ダミー電極ＴＤＤが、図６で示した絶対値｜ΔＶ｜に与える影響を小さくすることができる。このように、ダミー電極ＴＤＤは、スリットＳｔが細線片Ｕｃと細線片Ｕｄとの電気的な導通を妨げ、分割することにより、タッチ検出の精度への影響を小さくできる。
【００６７】
図１４は、実施形態１の変形例に係るタッチ検出電極及びダミー電極の配置を表す模式図である。細線片Ｕｃは、画素配列方向Ｄｙに対して角度を有して延びる導電性材料のパターンであり、細線片Ｕｄは、細線片Ｕｃが延びる方向と異なる方向に延びる導電性材料のパターンである。細線片Ｕｃは、細線片Ｕａと同程度の大きさを有し、細線片Ｕａの延びる方向と平行に配置されている。細線片Ｕｄは、細線片Ｕｂと同程度の大きさを有し、細線片Ｕｂの延びる方向と平行に配置されている。図１４に示すスリットＳｔは、図１３に示す屈曲部ＴＤＤＧの位置にも設けられている。そして、図１４に示すスリットＳｔは、細線片Ｕｃと細線片Ｕｄとの間に設けられ、細線片Ｕｃと細線片Ｕｄとは、スリットＳｔごとに所定の角度で折り返されている。
【００６８】
次に、図１３及び図１４に示す画素配列方向Ｄｙと画素直交方向Ｄｘについて図１５を用いて説明する。図１５は、実施形態１に係るダミー電極のスリットと、表示領域の色領域との位置関係を説明するための説明図である。上述したように、表示領域Ａｄは、各副画素ＳＰｉｘに色領域３２Ｒ、３２Ｇ、３２Ｂが対応付けられ、色領域３２Ｒ、３２Ｇ、３２Ｂを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂがそれぞれ走査線ＧＣＬを挟んで隣り合うように配置する。
【００６９】
画素配列方向Ｄｙは、人間の視感度が最も高い色領域が並ぶ方向である。画素直交方向Ｄｘは、対向基板３の表面と平行な平面上において画素配列方向Ｄｙに対して直交する方向である。Ｒ（赤）、Ｇ（緑）、Ｂ（青）の３色のなかでは、人間の視感度が最も高い色はＧ（緑）である。図１５で、色領域３２Ｇが並ぶのは信号線ＳＧＬと平行な方向であるため、実施形態１における画素配列方向Ｄｙは信号線ＳＧＬと平行な方向となる。なお、変形例としてＷ（白）を加えたＲ（赤）、Ｇ（緑）、Ｂ（青）、Ｗ（白）の４色の場合、人間の視感度が最も高い色はＷ（白）である。
【００７０】
図１５に示すように、実施形態１に係るダミー電極ＴＤＤの導電性細線ＤＬは、画素配列方向Ｄｙと異なる方向に延びる細線片を複数含み、導電性細線ＭＬよりも面積が小さくなるように、導電性細線ＤＬがスリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２、Ｓｔ４３、Ｓｔ５１、Ｓｔ５２、Ｓｔ５３、Ｓｔ６１、Ｓｔ６２及びＳｔ６３で分割されている。スリットＳｔ１１、Ｓｔ１２及びＳｔ１３が重なる色領域は、色領域３２Ｒである。スリットＳｔ１１、Ｓｔ１２及びＳｔ１３と画素直交方向Ｄｘに最も近い、スリットＳｔ２１、Ｓｔ２２及びＳｔ２３が重なる色領域は、色領域３２Ｇである。スリットＳｔ１１、Ｓｔ１２及びＳｔ１３が重なる色領域は、スリットＳｔ２１、Ｓｔ２２及びＳｔ２３が重なる色領域と異なる色である。スリットＳｔ２１、Ｓｔ２２及びＳｔ２３と画素直交方向Ｄｘに最も近い、スリットＳｔ３１、Ｓｔ３２及びＳｔ３３が重なる色領域は、色領域３２Ｂである。スリットＳｔ２１、Ｓｔ２２及びＳｔ２３が重なる色領域は、スリットＳｔ３１、Ｓｔ３２及びＳｔ３３が重なる色領域と異なる色である。Ｓｔ４１、Ｓｔ４２、Ｓｔ４３、Ｓｔ５１、Ｓｔ５２、Ｓｔ５３、Ｓｔ６１、Ｓｔ６２及びＳｔ６３が重なる色領域は、Ｓｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域の関係と同様である。
【００７１】
図１５に示すスリットＳｔの間隔Ｓｗは、副画素ＳＰｉｘの画素配列方向Ｄｙの長さＷｐｉｘより小さい。この構造により、スリットＳｔが副画素ＳＰｉｘに跨がって重なり合う可能性が小さくなる。
【００７２】
図１６は、比較例に係るダミー電極のスリットと、表示領域の色領域との位置関係を説明するための説明図である。図１６に示すように、比較例に係るダミー電極ＴＤＤの導電性細線ＤＬは、画素配列方向Ｄｙと異なる方向に延びる細線片を複数含み、導電性細線ＭＬよりも面積が小さくなるように、導電性細線ＤＬがスリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３で分割されている。スリットＳｔ１１、Ｓｔ１２及びＳｔ１３が重なる色領域は、色領域３２Ｒである。スリットＳｔ１１、Ｓｔ１２及びＳｔ１３と画素直交方向Ｄｘに最も近い、スリットＳｔ２１、Ｓｔ２２及びＳｔ２３が重なる色領域は、色領域３２Ｒである。スリットＳｔ１１、Ｓｔ１２及びＳｔ１３が重なる色領域は、スリットＳｔ２１、Ｓｔ２２及びＳｔ２３が重なる色領域と同じ色である。スリットＳｔ２１、Ｓｔ２２及びＳｔ２３と画素直交方向Ｄｘに最も近い、スリットＳｔ３１、Ｓｔ３２及びＳｔ３３が重なる色領域は、色領域３２Ｒである。スリットＳｔ２１、Ｓｔ２２及びＳｔ２３が重なる色領域は、スリットＳｔ３１、Ｓｔ３２及びＳｔ３３が重なる色領域と同じ色である。スリットＳｔ３１、Ｓｔ３２及びＳｔ３３と画素直交方向Ｄｘに最も近い、スリットＳｔ４１、Ｓｔ４２及びＳｔ４３が重なる色領域は、色領域３２Ｒである。スリットＳｔ３１、Ｓｔ３２及びＳｔ３３が重なる色領域は、スリットＳｔ４１、Ｓｔ４２及びＳｔ４３が重なる色領域と同じ色である。
【００７３】
［作用効果］
画素Ｐｉｘは、上記のように、走査線ＧＣＬに平行な方向及び信号線ＳＧＬに平行な方向に沿って行列状に配置されている。走査線ＧＣＬ及び信号線ＳＧＬがブラックマトリックスで覆われている場合は、ブラックマトリックスが光の透過を抑制する。走査線ＧＣＬ及び信号線ＳＧＬがブラックマトリックスで覆われていない場合は、走査線ＧＣＬ及び信号線ＳＧＬが光の透過を抑制する。実施形態１において走査線ＧＣＬに平行な方向に沿った、画素直交方向Ｄｘと平行な複数の直線状の模様であって、周期性を有する模様が、表示領域Ａｄ上に現れやすくなる。また、信号線ＳＧＬに平行な方向に沿った、画素配列方向Ｄｙと平行な複数の直線状の模様によって、周期性を有する模様が、表示領域Ａｄ上に現れやすくなる。このため、表示領域Ａｄの表面に対して垂直な方向に、タッチ検出電極ＴＤＬを重ねた場合、表示領域上のカラーフィルタ層、走査線又は信号線のパターンと、タッチ検出電極ＴＤＬのパターンが干渉し、明暗模様を形成することで、モアレ又はスジなどが視認される可能性がある。
【００７４】
実施形態１に係るタッチ検出機能付き表示装置１は、導電性細線ＭＬが、上述した第１条件を満たす細線片Ｕａを含むことで、明暗模様の周期が、人間が視認できない程度に短くなりやすくなる。例えば、実施形態１に係る細線片Ｕａ、Ｕｂ、Ｕｃ及びＵｄは、画素直交方向Ｄｘ及び画素配列方向Ｄｙに対して、角度を有して延びている。上述した第１条件を満たせば、当該角度が一定の大きさ以上となるために、明暗模様の周期が短くなりやすい。その結果、実施形態１に係るタッチ検出機能付き表示装置１は、導電性細線ＭＬ、導電性細線ＤＬによるモアレが視認される可能性を低減できる。
【００７５】
図１６に示すように、スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３が重なる色領域が特定の色領域３２Ｒに偏る場合、ダミー電極ＴＤＤのある表示領域Ａｄにおいて、特定の色領域３２Ｒからの光は、他の色領域３２Ｇ及び色領域３２Ｂからの光よりも多くなる傾向にある。タッチ電極ＴＤＬのある表示領域Ａｄは、ダミー電極ＴＤＤのある表示領域Ａｄよりも、特定の色領域３２Ｒからの光が少ない。このため、スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３を通過する光が、ダミー電極ＴＤＤのある表示領域Ａｄの色味を変えてしまう可能性がある。その結果、スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３が目立ち、例えば線状（スジ状）に認識され、ダミー電極ＴＤＤが視認されてしまう可能性がある。
【００７６】
図１５に示すように、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域は、特定の色領域３２Ｒに偏らない。スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域は、色領域３２Ｒ、色領域３２Ｇ及び色領域３２Ｂに重なり、ダミー電極ＴＤＤのある表示領域Ａｄにおいて、色領域３２Ｒからの光は、他の色領域３２Ｇ及び色領域３２Ｂからの光と同程度だけスリットＳｔ１１、Ｓｔ１２、Ｓｔ１３、Ｓｔ２１、Ｓｔ２２、Ｓｔ２３、Ｓｔ３１、Ｓｔ３２及びＳｔ３３のいずれかを通過する。このため、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３を通過する光が、ダミー電極ＴＤＤのある表示領域Ａｄの色味を変えてしまう可能性が低減する。その結果、実施形態１に係るタッチ検出機能付き表示装置１は、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が目立ちにくくなり、ダミー電極ＴＤＤのスリットが視認されてしまう可能性を小さくすることができる。
【００７７】
また、実施形態１に係るタッチ検出機能付き表示装置１は、スリットＳｔ２１、Ｓｔ２２及びＳｔ２３と画素直交方向Ｄｘに最も近い、スリットＳｔ３１、Ｓｔ３２及びＳｔ３３が重なる色領域を、色領域３２Ｒとしてもよい。スリットＳｔ２１、Ｓｔ２２及びＳｔ２３が重なる色領域は、スリットＳｔ３１、Ｓｔ３２及びＳｔ３３が重なる色領域とは異なる色にすることができるからである。
【００７８】
なお、実施形態１に係るタッチ検出機能付き表示装置１とは異なり、タッチ検出電極ＴＤＬと駆動電極ＣＯＭＬとが同層で形成され、かつ金属材料で形成される場合、電蝕が発生する可能性がある。これに対して、実施形態１に係るタッチ検出機能付き表示装置１は、タッチ検出電極ＴＤＬと駆動電極ＣＯＭＬとが、ガラス基板３１の表面に対する垂直方向において、ガラス基板３１を挟んで異なる面上に位置している。これにより、実施形態１に係るタッチ検出機能付き表示装置１は、電蝕の発生を抑えることができる。さらに、駆動電極ＣＯＭＬは、透光性の材料で形成されるのが好ましい。これにより、タッチ検出電極ＴＤＬと駆動電極ＣＯＭＬとの干渉によるモアレが視認される可能性を低減できる。
【００７９】
さらに、駆動電極ＣＯＭＬは、ガラス基板３１の表面に垂直な方向において対向するＴＦＴ基板２１上にある。ガラス基板３１の表面と駆動電極ＣＯＭＬとが、ガラス基板３１の表面に対する垂直方向において離れている場合は、人間が視認する角度によって、表示領域Ａｄ上に現れる模様の周期と駆動電極ＣＯＭＬの配置の周期との差が変化する。しかし、ＴＦＴ基板２１上に駆動電極ＣＯＭＬを配置することで、人間が視認する角度に応じた、表示領域Ａｄ上に現れる模様の周期と駆動電極ＣＯＭＬの配置の周期との差の変化を小さくすることができる。また、実施形態１に係る駆動電極ＣＯＭＬは、上述した画素配列方向Ｄｙ又は画素直交方向Ｄｘに延在するように配置される。これにより、駆動電極ＣＯＭＬが走査線ＧＣＬに平行な方向又は信号線ＳＧＬに平行な方向に延在し、開口率が低くなる可能性を低減できる。
【００８０】
＜１−２．実施形態２＞
次に、実施形態２に係るタッチ検出機能付き表示装置１について説明する。図１７は、実施形態２に係るタッチ検出電極及びダミー電極の配置を表す模式図である。なお、上述した実施形態１で説明したものと同じ構成要素には同一の符号を付して重複する説明は省略する。
【００８１】
ダミー電極ＴＤＤは、導電性細線ＤＬを配列ピッチＰＰの間隔で複数配列している。導電性細線ＭＬ及び導電性細線ＤＬは、画素配列方向Ｄｙに対し、所定の角度を有する延在方向Ｄｒ（第１方向）の方向に延びるように配置されている。スリットＳｔ１１、Ｓｔ１３、Ｓｔ２２、Ｓｔ３１及びＳｔ３３が重なる色領域は、色領域３２Ｒである。スリットＳｔ２１、Ｓｔ２３及びＳｔ３２が重なる色領域は、色領域３２Ｇである。スリットＳｔ１２が重なる色領域は、色領域３２Ｂである。
【００８２】
画素直交方向Ｄｘに最も近い、例えば領域ＤＳに属するスリットＳｔ１２、Ｓｔ２２及びＳｔ３２が重なる色領域は、それぞれ異なる色である。スリットＳｔ１２、Ｓｔ２２及びＳｔ３２が重なる色領域は、領域ＤＳに属するスリットＳｔ１２、Ｓｔ２２及びＳｔ３２が配列される方向Ｄｓ（第２方向）が画素直交方向Ｄｘに対する傾きと、配列ピッチＰＰを調節することで選択できる。また、画素配列方向Ｄｙ又は方向Ｄｓに最も近い、例えば領域ＤＲに属するスリットＳｔ１１、Ｓｔ１２及びＳｔ１３が重なる色領域は、重なる色領域３２Ｒと色領域３２Ｂとが交互に現れる。そして、色領域３２Ｒと色領域３２Ｂとは、上述のように異なる色である。Ｓｔ１１、Ｓｔ１２及びＳｔ１３が重なる色領域は、領域ＤＲに属するスリットＳｔ１１、Ｓｔ１２及びＳｔ１３が配列される方向Ｄｒが画素配列方向Ｄｙに対する傾きと、配列ピッチＰＰとを調節することで選択できる。
【００８３】
実施形態２に係るタッチ検出機能付き表示装置１は、例えば、スリットＳｔ１１が重なり合う表示領域Ａｄの色領域３２Ｒが、スリットＳｔ１１に画素配列方向Ｄｙ又は方向Ｄｓに最も近いスリットＳｔ１２が重なり合う表示領域Ａｄの色領域３２Ｂと異なる色である。このため、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域は、特定の色領域３２Ｒに偏らない。スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域は、色領域３２Ｒ、色領域３２Ｇ及び色領域３２Ｂに重なり、ダミー電極ＴＤＤのある表示領域Ａｄにおいて、色領域３２Ｒからの光は、他の色領域３２Ｇ及び色領域３２Ｂからの光と同程度だけスリットＳｔ１１、Ｓｔ１２、Ｓｔ１３、Ｓｔ２１、Ｓｔ２２、Ｓｔ２３、Ｓｔ３１、Ｓｔ３２及びＳｔ３３のいずれかを通過する。そして、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３を通過する光が、ダミー電極ＴＤＤのある表示領域Ａｄの色味を変えてしまう可能性が低減する。その結果、実施形態２に係るタッチ検出機能付き表示装置１は、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が目立ちにくくなり、ダミー電極ＴＤＤのスリットが視認されてしまう可能性を小さくすることができる。
【００８４】
＜１−３．実施形態３＞
次に、実施形態３に係るタッチ検出機能付き表示装置１について説明する。図１８は、実施形態３に係るタッチ検出電極及びダミー電極の配置を表す模式図である。なお、上述した実施形態１及び２で説明したものと同じ構成要素には同一の符号を付して重複する説明は省略する。
【００８５】
図１８に示すように、実施形態３に係るタッチ検出電極ＴＤＬは、画素配列方向Ｄｙに延びるように、隣り合う導電性細線ＭＬの配列ピッチＰａの間隔で複数配列されている。
【００８６】
図１８に示すように、実施形態３に係るタッチ検出電極ＴＤＬは、対向基板３と平行な平面上に配列された導電性細線ＤＬ１１、導電性細線ＤＬ１２、導電性細線ＤＬ１３、導電性細線ＤＬ２１、導電性細線ＤＬ２２及び導電性細線ＤＬ２３を含む。導電性細線ＤＬ３１、導電性細線ＤＬ３２及び導電性細線ＤＬ３３は、導電性細線ＤＬ１１、導電性細線ＤＬ１２及び導電性細線ＤＬ１３と同じパターンを繰り返したパターンであるので以下の説明を省略する。同様に、導電性細線ＤＬ４１、導電性細線ＤＬ４２及び導電性細線ＤＬ４３は、導電性細線ＤＬ２１、導電性細線ＤＬ２２及び導電性細線ＤＬ２３と同じパターンを繰り返したパターンであるので以下の説明を省略する。
【００８７】
導電性細線ＤＬ１１、導電性細線ＤＬ１２及び導電性細線ＤＬ１３が１組となり、画素配列方向Ｄｙに並び１列のダミー電極ＴＤＤを形成する。また、導電性細線ＤＬ２１、導電性細線ＤＬ２２及び導電性細線ＤＬ２３が１組となり、画素配列方向Ｄｙに並び１列のダミー電極ＴＤＤを形成する。
【００８８】
隣り合う導電性細線ＤＬ１１及び導電性細線ＤＬ２１は、配列ピッチＰａの間隔で配列されている。同様に、隣り合う導電性細線ＤＬ１３及び導電性細線ＤＬ２３は、配列ピッチＰａの間隔で配列されている。
【００８９】
隣り合う導電性細線ＤＬ１２及び導電性細線ＤＬ２２は、配列ピッチＰｂの間隔で配列されている。配列ピッチＰｂの間隔は、配列ピッチＰａの間隔よりも広い。隣り合う導電性細線ＤＬ２２及び導電性細線ＤＬ３２は、配列ピッチＰｃの間隔で配列されている。配列ピッチＰｃの間隔は、配列ピッチＰａの間隔よりも狭い。配列ピッチＰｂの間隔と、配列ピッチＰｃの間隔との和は、配列ピッチＰａの間隔の２倍の値に等しくなる。配列ピッチＰｂの間隔と、配列ピッチＰｃの間隔との差は、画素直交方向Ｄｘの副画素ＳＰｉｘの幅の自然数倍であることが好ましい。
【００９０】
上記の構成により、実施形態３に係るタッチ検出機能付き表示装置１は、導電性細線ＤＬ１１、導電性細線ＤＬ１２、導電性細線ＤＬ１３、導電性細線ＤＬ２１、導電性細線ＤＬ２２及び導電性細線ＤＬ２３が非連続になり、スリットＳｔ１１、Ｓｔ１２、Ｓｔ１３、Ｓｔ２１、Ｓｔ２２及びＳｔ２３ができる。同様に、導電性細線ＤＬ３１、導電性細線ＤＬ３２、導電性細線ＤＬ３３、導電性細線ＤＬ４１、導電性細線ＤＬ４２及び導電性細線ＤＬ４３が非連続になり、スリットＳｔ３１、Ｓｔ３２、Ｓｔ３３、Ｓｔ４１、Ｓｔ４２及びＳｔ４３ができる。例えば、スリットＳｔ１１が重なる色領域は、色領域３２Ｂ及び色領域３２Ｒである。スリットＳｔ１１に画素直交方向Ｄｘに最も近いスリットＳｔ２１が重なる色領域は、色領域３２Ｒ及び色領域３２Ｇである。色領域３２Ｂ及び色領域３２Ｒの全体を透過する色と、色領域３２Ｒ及び色領域３２Ｇの全体を透過する色とは異なる。そして、スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３を通過する光が、ダミー電極ＴＤＤのある表示領域Ａｄの色味を変えてしまう可能性が低減する。その結果、実施形態３に係るタッチ検出機能付き表示装置１は、スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３が目立ちにくくなり、ダミー電極ＴＤＤのスリットが視認されてしまう可能性を小さくすることができる。
【００９１】
（実施形態３の変形例）
図１９は、実施形態３の変形例に係るタッチ検出電極及びダミー電極の配置を表す模式図である。タッチ検出電極ＴＤＬは、隣り合う導電性細線ＭＬの配列ピッチを、画素直交方向Ｄｘ方向に同じ位置にある、ダミー電極ＴＤＤの配列ピッチＰａ、Ｐｂ及びＰｃのいずれかに合わせて、配列してもよい。例えば、図１９に示すように、タッチ検出電極ＴＤＬは、隣り合う導電性細線ＭＬの配列ピッチが部分的に配列ピッチＰａ及び配列ピッチＰｂを含む。このように、導電性細線の配列ピッチが変わる場合、細線片Ｕａ及び細線片Ｕｂとの間にギャップが生じる。細線片Ｕａ及び細線片Ｕｂとの間のギャップは、細線片Ｕａ及び細線片Ｕｂと同じ材料の導電部ＴＤＣ１、ＴＤＣ２で接続される。以上の構造により、ダミー電極ＴＤＤの電極パターンは、タッチ電極ＴＤＬのパターンとより近くなり、ダミー電極ＴＤＤ及びタッチ電極ＴＤＬが視認される可能性が低くなる。
【００９２】
＜１−４．実施形態４＞
次に、実施形態４に係るタッチ検出機能付き表示装置１について説明する。図２０は、実施形態４に係るタッチ検出電極及びダミー電極の配置を表す模式図である。なお、上述した実施形態１、２及び３で説明したものと同じ構成要素には同一の符号を付して重複する説明は省略する。
【００９３】
図２０に示すように、実施形態４に係るタッチ検出電極ＴＤＬは、画素配列方向Ｄｙに延びるように、導電性細線ＭＬが複数配列されている。上述したように、導電性細線ＭＬは、屈曲部ＴＤＣごとに画素配列方向Ｄｙに対してなす角、所定の角度θｃで折り返されている。
【００９４】
図２０に示すように、実施形態４に係るタッチ検出電極ＴＤＬは、対向基板３と平行な平面上に配列された導電性細線ＤＬ１０、導電性細線ＤＬ１１、導電性細線ＤＬ１２、導電性細線ＤＬ１３、導電性細線ＤＬ２０、導電性細線ＤＬ２１、導電性細線ＤＬ２２及び導電性細線ＤＬ２３を含む。導電性細線ＤＬ３０、導電性細線ＤＬ３１、導電性細線ＤＬ３２及び導電性細線ＤＬ３３は、導電性細線ＤＬ１０、導電性細線ＤＬ１１、導電性細線ＤＬ１２及び導電性細線ＤＬ１３と同じパターンを繰り返したパターンであるので以下の説明を省略する。同様に、導電性細線ＤＬ４０、導電性細線ＤＬ４１、導電性細線ＤＬ４２及び導電性細線ＤＬ４３は、導電性細線ＤＬ２０、導電性細線ＤＬ２１、導電性細線ＤＬ２２及び導電性細線ＤＬ２３と同じパターンを繰り返したパターンであるので以下の説明を省略する。
【００９５】
導電性細線ＤＬ１０、導電性細線ＤＬ１１、導電性細線ＤＬ１２及び導電性細線ＤＬ１３が１組となり、画素配列方向Ｄｙに並び１列のダミー電極ＴＤＤを形成する。また、導電性細線ＤＬ２０、導電性細線ＤＬ２１、導電性細線ＤＬ２２及び導電性細線ＤＬ２３が１組となり、画素配列方向Ｄｙに並び１列のダミー電極ＴＤＤを形成する。図２０に示すスリットＳｔの間隔Ｓｗは、副画素ＳＰｉｘの画素配列方向Ｄｙの長さＷＰｉｘより小さい。この構造により、スリットＳｔが副画素ＳＰｉｘに跨がって重なり合う可能性が小さくなる。
【００９６】
隣り合う導電性細線ＤＬ１１及び導電性細線ＤＬ２１は、画素直交方向Ｄｘに屈曲部ＴＤＤＣが一定の配列ピッチＰａの間隔で配列されている。同様に、隣り合う導電性細線ＤＬ１２及び導電性細線ＤＬ２２は、画素直交方向Ｄｘに屈曲部ＴＤＤＣが一定の配列ピッチＰａの間隔で配列されている。導電性細線ＤＬ１１及び導電性細線ＤＬ２２の屈曲部ＴＤＤＣは、画素配列方向Ｄｙに対しなす角、所定の角度θｂで折り返されている。導電性細線ＤＬ１２及び導電性細線ＤＬ２１の屈曲部ＴＤＤＣは、画素配列方向Ｄｙに対しなす角、所定の角度θａで折り返されている。所定の角度θａと、所定の角度θｂとは異なる角度である。この構造により、スリットＳｔ１２とスリットＳｔ２２との配列ピッチＰｄの間隔が、上述した配列ピッチＰａと異なる。このため、スリットＳｔ１２が重なる色領域が色領域３２Ｇとなり、スリットＳｔ２２が重なる色領域が色領域３２Ｒとなる。このように、スリットＳｔ１２と画素直交方向Ｄｘに最も近い、スリットＳｔ２２が重なる色領域は、スリットＳｔ１２が重なる色領域と異なる色になる。
【００９７】
また、スリットＳｔ１２が重なる色領域が色領域３２Ｇとなり、スリットＳｔ１３が重なる色領域が色領域３２Ｒとなる。このように、スリットＳｔ１２と画素配列方向Ｄｙに最も近い、スリットＳｔ１３が重なる色領域は、スリットＳｔ１２が重なる色領域と異なる色になる。
【００９８】
スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３を通過する光が、ダミー電極ＴＤＤのある表示領域Ａｄの色味を変えてしまう可能性が低減する。その結果、実施形態４に係るタッチ検出機能付き表示装置１は、スリットＳｔ１１、Ｓｔ１２、Ｓｔ１３、Ｓｔ２１、Ｓｔ２２、Ｓｔ２３、Ｓｔ３１、Ｓｔ３２、Ｓｔ３３、Ｓｔ４１、Ｓｔ４２及びＳｔ４３が目立ちにくくなり、ダミー電極ＴＤＤのスリットが視認されてしまう可能性を小さくすることができる。
【００９９】
（実施形態４の変形例）
図２１は、実施形態４の変形例に係るタッチ検出電極及びダミー電極の配置を表す模式図である。導電性細線ＭＬは、屈曲部ＴＤＣ、屈曲部ＴＤＣ１、屈曲部ＴＤＣ、屈曲部ＴＤＣ２の順ごとに画素配列方向Ｄｙに対してなす角、所定の角度θｃ、θｂ、θｃ、θａで折り返されている。上述したように、導電性細線ＤＬ１１及び導電性細線ＤＬ２２の屈曲部ＴＤＤＣは、画素配列方向Ｄｙに対しなす角、所定の角度θｂで折り返されている。導電性細線ＤＬ１２及び導電性細線ＤＬ２１の屈曲部ＴＤＤＣは、画素配列方向Ｄｙに対しなす角、所定の角度θａで折り返されている。この構造により、画素直交方向Ｄｘでみたときに、導電性細線ＭＬが屈曲部ＴＤＣにおいて画素配列方向Ｄｙに対しなす角度は、導電性細線ＤＬ１１及び導電性細線ＤＬ２２の屈曲部ＴＤＤＣにおいて画素配列方向Ｄｙに対しなす角度と、同じ配置となる。以上の構造により、ダミー電極ＴＤＤの電極パターンは、タッチ電極ＴＤＬのパターンとより近くなり、ダミー電極ＴＤＤ及びタッチ電極ＴＤＬが視認される可能性が低くなる。
【０１００】
＜１−５．実施形態５＞
次に、実施形態５に係るタッチ検出機能付き表示装置１について説明する。図２２は、実施形態５に係るタッチ検出電極及びダミー電極の配置を表す模式図である。なお、上述した実施形態１、２、３及び４で説明したものと同じ構成要素には同一の符号を付して重複する説明は省略する。
【０１０１】
図２２に示すように、実施形態５に係るタッチ検出電極ＴＤＬは、対向基板３と平行な平面上で画素配列方向Ｄｙに延在する導電性細線ＭＬ１と導電性細線ＭＬ２を含む。導電性細線ＭＬ１と導電性細線ＭＬ２とが１組となり、領域ＴＤＡを形成する。導電性細線ＭＬ１の端部ＭＬ１ｅと導電性細線ＭＬ２の端部ＭＬ２ｅとは、第１導通部ＴＤＢ１を介して接続され導通している。
【０１０２】
導電性細線ＭＬ１は、実施形態１で示した導電性細線ＭＬである。導電性細線ＭＬ２は、導電性細線ＭＬ１に対して、画素配列方向Ｄｙと平行な直線を対称軸とする線対称な形状をしている。導電性細線ＭＬ２は、導電性細線ＭＬ１と同じ材料で形成される。導電性細線ＭＬ２は、導電性細線ＭＬ１の屈曲部ＴＤＣと導電性細線ＭＬ２の屈曲部ＴＤＣとが接続される、交差部ＴＤＸを形成するように配置される。導電性細線ＭＬ１と導電性細線ＭＬ２とは、交差部ＴＤＸで導通している。これより、導電性細線ＭＬ１と導電性細線ＭＬ２は、細線片Ｕａ及び細線片Ｕｂで囲まれた網目状の包囲領域ｍｅｓｈ１を形成する。なお、導電性細線ＭＬ１と導電性細線ＭＬ２とは、屈曲部ＴＤＣで接続されていなくてもよい。例えば、導電性細線ＭＬ１における細線片Ｕａの中間部と、導電性細線ＭＬ２における細線片Ｕｂの中間部とで接続され導通していてもよい。
【０１０３】
ダミー電極ＴＤＤは、細線片Ｕｃ及び細線片Ｕｄを含む。細線片Ｕｃは細線片Ｕａと平行に配置し、細線片Ｕｄは細線片Ｕｂと平行に配置する。また、細線片Ｕｃと細線片Ｕｄは、２つの細線片Ｕｃ及び２つの細線片Ｕｄで囲まれる包囲領域ｍｅｓｈ２の面積が、包囲領域ｍｅｓｈ１と同じになるように配置する。これにより、タッチ検出電極ＴＤＬが配置される領域と、そうでない領域との遮光性の差が小さくなるため、タッチ検出電極ＴＤＬが視認されやすくなる可能性を低減できる。
【０１０４】
図２３は、実施形態５の変形例に係るタッチ検出電極及びダミー電極の配置を表す模式図である。細線片Ｕｃは、画素配列方向Ｄｙに対して角度を有して延びる導電性材料のパターンであり、細線片Ｕｄは、細線片Ｕｃが延びる方向と異なる方向に延びる導電性材料のパターンである。細線片Ｕｃは、細線片Ｕａと同程度の大きさを有し、細線片Ｕａの延びる方向と平行に配置されている。細線片Ｕｄは、細線片Ｕｂと同程度の大きさを有し、細線片Ｕｂの延びる方向と平行に配置されている。図２３に示すスリットＳｔは、図２２に示す屈曲部ＴＤＤＣの位置にも設けられている。そして、図２３に示すスリットＳｔは、細線片Ｕｃと細線片Ｕｄとの間に設けられ、細線片Ｕｃと細線片Ｕｄとは、スリットＳｔごとに所定の角度で折り返され、かつ、２つの細線片Ｕｃ及び２つの細線片Ｕｄで囲まれる包囲領域ｍｅｓｈ２が区画されている。
【０１０５】
上記の構成により、実施形態５及び変形例に係るタッチ検出機能付き表示装置１は、仮に導電性細線ＭＬ１と導電性細線ＭＬ２のうち一方の導電性細線の一部が細くなり、導通が不確実でも、交差部ＴＤＸで他方の導電性細線に接続されているため、タッチ検出の確率を高めることができる。
【０１０６】
図２４は、実施形態５に係るダミー電極のスリットと、表示領域の色領域との位置関係を説明するための説明図である。ダミー電極ＴＤＤは、導電性細線ＤＬを配列ピッチＰＰの間隔で複数配列している。導電性細線ＭＬ及び導電性細線ＤＬは、画素配列方向Ｄｙに対し、所定の角度を有する延在方向Ｄｒの方向に延びるように配置されている。スリットＳｔ１１、Ｓｔ１３、Ｓｔ２２、Ｓｔ３１及びＳｔ３３が重なる色領域は、色領域３２Ｒである。Ｓｔ２３が重なる色領域は、色領域３２Ｇである。スリットＳｔ２１、スリットＳｔ１２及びＳｔ３２が重なる色領域は、色領域３２Ｂである。
【０１０７】
画素直交方向Ｄｘに最も近い、例えば領域ＤＳに属するスリットＳｔ１２、Ｓｔ２２及びＳｔ３２が重なる色領域は、それぞれ異なる色である。スリットＳｔ１２、Ｓｔ２２及びＳｔ３２が重なる色領域は、領域ＤＳに属するスリットＳｔ１２、Ｓｔ２２及びＳｔ３２が配列される方向Ｄｓが画素直交方向Ｄｘに対する傾きと、配列ピッチＰＰを調節することで選択できる。また、画素配列方向Ｄｙに最も近い、例えば領域ＤＲに属するスリットＳｔ１１、Ｓｔ１２及びＳｔ１３が重なる色領域は、重なる色領域３２Ｒと色領域３２Ｂとが交互に現れる。そして、色領域３２Ｒと色領域３２Ｂとは、上述のように異なる色である。Ｓｔ１１、Ｓｔ１２及びＳｔ１３が重なる色領域は、領域ＤＲに属するスリットＳｔ１１、Ｓｔ１２及びＳｔ１３が配列される方向Ｄｒが画素配列方向Ｄｙに対する傾きと、配列ピッチＰＰとを調節することで選択できる。
【０１０８】
実施形態５に係るタッチ検出機能付き表示装置１は、例えば、スリットＳｔ１１が重なり合う表示領域Ａｄの色領域３２Ｒが、スリットＳｔ１１に画素配列方向Ｄｙに最も近いスリットＳｔ１２が重なり合う表示領域Ａｄの色領域３２Ｂと異なる色である。このため、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域は、特定の色領域３２Ｒに偏らない。スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が重なる色領域は、色領域３２Ｒ、色領域３２Ｇ及び色領域３２Ｂに重なり、ダミー電極ＴＤＤのある表示領域Ａｄにおいて、色領域３２Ｒからの光は、他の色領域３２Ｇ及び色領域３２Ｂからの光と同程度だけスリットＳｔ１１、Ｓｔ１２、Ｓｔ１３、Ｓｔ２１、Ｓｔ２２、Ｓｔ２３、Ｓｔ３１、Ｓｔ３２及びＳｔ３３のいずれかを通過する。そして、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３を通過する光が、ダミー電極ＴＤＤのある表示領域Ａｄの色味を変えてしまう可能性が低減する。その結果、実施形態５に係るタッチ検出機能付き表示装置１は、スリットＳｔ１１、Ｓｔ１２、Ｓｔ１３、Ｓｔ２１、Ｓｔ２２、Ｓｔ２３、Ｓｔ３１、Ｓｔ３２及びＳｔ３３が目立ちにくくなり、ダミー電極ＴＤＤのスリットが視認されてしまう可能性を小さくすることができる。
【０１０９】
実施形態５に係るタッチ検出機能付き表示装置１は、網目状の導電性細線ＭＬの交差部ＴＤＸの重なる色領域が、特定の色領域３２Ｒに偏らないようになる。交差部ＴＤＸが重なる色領域は、色領域３２Ｒ、色領域３２Ｇ及び色領域３２Ｂに重なり、交差部ＴＤＸが遮光する色領域の偏りが小さくなることから、タッチ検出電極ＴＤＬのある表示領域Ａｄの色味のばらつきを小さくすることができる。
【０１１０】
＜１−６．実施形態の変形例＞
以下に、実施形態１、２、３、４、５及び変形例（以下、本実施形態という）に適用可能な構成の変形例について説明する。なお、上述した実施形態１、２、３、４及び５で説明したものと同じ構成要素には同一の符号を付して重複する説明は省略する。図２５は、本実施形態に係る画素配列方向を説明するための模式図である。
【０１１１】
各副画素ＳＰｉｘに色領域３２Ｒ、３２Ｇ、３２Ｂが対応付けられ、色領域３２Ｒ、３２Ｇ、３２Ｂを１組として画素Ｐｉｘを構成している。画素Ｐｉｘは、図２５に示すように、走査線ＧＣＬに平行な方向及び信号線ＳＧＬに平行な方向に沿って行列状に配置される。また、画素Ｐｉｘは、同じ色領域同士が走査線ＧＣＬに平行な方向及び信号線ＳＧＬに平行な方向において隣り合わないように配置される。
【０１１２】
画素配列方向Ｄｙは、人間の視感度が最も高い色領域が並ぶ方向である。Ｒ（赤）、Ｇ（緑）、Ｂ（青）の３色のなかでは、人間の視感度が最も高い色はＧ（緑）である。図２５において、色領域３２Ｇが並ぶのは色領域３２Ｇの対角線方向であるため、画素配列方向Ｄｙは、色領域３２Ｇの対角線方向となる。
【０１１３】
次に、他の画素配列方向の例について説明する。図２６は、本実施形態に係る画素配列方向を説明するための模式図である。各副画素ＳＰｉｘにＲ（赤）、Ｇ（緑）、Ｂ（青）、Ｗ（白）の４色の色領域３２Ｒ、３２Ｇ、３２Ｂ、３２Ｗが対応付けられ、色領域３２Ｒ、３２Ｇ、３２Ｂ又は色領域３２Ｒ、３２Ｇ、３２Ｗを１組として画素Ｐｉｘを構成している。ここで色領域３２Ｒ、３２Ｇ、３２Ｂで構成される画素Ｐｉｘを画素Ｐｉｘ１、色領域３２Ｒ、３２Ｇ、３２Ｗで構成される画素Ｐｉｘを画素Ｐｉｘ２とする。画素Ｐｉｘは、図２６に示すように、走査線ＧＣＬに平行な方向及び信号線ＳＧＬに平行な方向に沿って行列状に配置される。また、画素Ｐｉｘ１と画素Ｐｉｘ２とは、走査線ＧＣＬに平行な方向及び信号線ＳＧＬに平行な方向において隣り合わないように配置される。
【０１１４】
画素配列方向Ｄｙは、人間の視感度が最も高い色領域が並ぶ方向である。Ｒ（赤）、Ｇ（緑）、Ｂ（青）、Ｗ（白）の４色のなかでは、人間の視感度が最も高い色はＷ（白）である。しかし、色領域３２Ｗは隣り合う部分がないため、並ぶ方向を有さない。この場合は、その次に人間の視感度が高い色領域が並ぶ方向が画素配列方向Ｄｙとなる。Ｗ（白）を除くＲ（赤）、Ｇ（緑）、Ｂ（青）の３色のなかでは、人間の視感度が最も高い色はＧ（緑）である。図２６で、色領域３２Ｇが並ぶのは、信号線ＳＧＬと平行な方向であるため、画素配列方向Ｄｙは信号線ＳＧＬと平行な方向となる。
【０１１５】
以上説明してきた画素配列方向Ｄｙは、副画素ＳＰｉｘの形状を模式的に矩形として説明してきたが、信号線ＳＧＬが屈曲していてもよい。図２７は、本実施形態に係る画素配列方向を説明するための模式図である。図２８は、本実施形態に係る画素配列方向を説明するための模式図である。図２７及び図２８に示すように、信号線ＳＧＬが屈曲していても、副画素ＳＰｉｘを矩形に置き換えて、画素配列方向Ｄｙを決めてしまえば、上述した本実施形態の態様が成り立つことになる。
【０１１６】
次に、本実施形態に係るタッチ検出機能付き表示デバイスの概略断面構造の他の例について説明する。図２９は、本実施形態に係るタッチ検出機能付き表示デバイスの概略断面構造を表す断面図である。上述した本実施形態に係るタッチ検出機能付き表示装置１は、ＦＦＳ、ＩＰＳ等の各種モードの液晶を用いた液晶表示デバイス２０とタッチ検出デバイス３０とを一体化してタッチ検出機能付き表示デバイス１０とすることができる。これに代えて、図２９に示す実施形態５に係るタッチ検出機能付き表示デバイス１０は、ＴＮ（Twisted  Nematic：ツイステッドネマティック）、ＶＡ（Vertical  Alignment：垂直配向）、ＥＣＢ（Electrically Controlled Birefringence：電界制御複屈折）等の各種モードの液晶とタッチ検出デバイスとを一体化してもよい。
【０１１７】
＜２．適用例＞
次に、図３０〜図４２を参照して、実施形態及び変形例で説明したタッチ検出機能付き表示装置１の適用例について説明する。図３０〜図４２は、本実施形態に係るタッチ検出機能付き表示装置又は表示装置を適用する電子機器の一例を示す図である。本実施形態及び変形例に係るタッチ検出機能付き表示装置１及び表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態及び変形例に係るタッチ検出機能付き表示装置１及び表示装置は、外部から入力された映像信号あるいは内部で生成した映像信号を、画像あるいは映像として表示するあらゆる分野の電子機器に適用することが可能である。
【０１１８】
（適用例１）
図３０に示す電子機器は、本実施形態及び変形例に係るタッチ検出機能付き表示装置１及び表示装置が適用されるテレビジョン装置である。このテレビジョン装置は、例えば、フロントパネル５１１及びフィルターガラス５１２を含む映像表示画面部５１０を有しており、この映像表示画面部５１０は、本実施形態及び変形例に係るタッチ検出機能付き表示装置１及び表示装置である。
【０１１９】
（適用例２）
図３３及び図３４に示す電子機器は、本実施形態及び変形例に係るタッチ検出機能付き表示装置１及び表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態及び変形例に係るタッチ検出機能付き表示装置１及び表示装置である。
【０１２０】
（適用例３）
図３５に示す電子機器は、本実施形態及び変形例に係るタッチ検出機能付き表示装置１及び表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態及び変形例に係るタッチ検出機能付き表示装置１及び表示装置である。
【０１２１】
（適用例４）
図３６に示す電子機器は、本実施形態及び変形例に係るタッチ検出機能付き表示装置１及び表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態及び変形例に係るタッチ検出機能付き表示装置１及び表示装置である。
【０１２２】
（適用例５）
図３７〜図４２に示す電子機器は、本実施形態及び変形例に係るタッチ検出機能付き表示装置１及び表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、本実施形態及び変形例に係るタッチ検出機能付き表示装置１及び表示装置である。
【０１２３】
（適用例６）
図４２に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態及び変形例に係るタッチ検出機能付き表示装置１及び表示装置である。
【０１２４】
＜３．本開示の構成＞
また、本開示は、以下の構成をとることもできる。
【０１２５】
（１）基板と、
前記基板の表面と平行な面に、複数の色領域で構成される画素が行列状に配置される表示領域と、
前記基板の表面と平行な面上の第１方向に延在する第１導電性細線を含む、タッチ検出電極と、
前記基板の表面に垂直な方向において前記第１導電性細線がない領域に設けられ第２導電性細線を複数含む、ダミー電極と、
前記タッチ検出電極に対して静電容量を有する駆動電極と、
前記表示領域に画像を表示する機能を有する表示機能層と、を含み、
前記第２導電性細線は、前記第１方向と異なる方向に延びる細線片を複数含み、第２導電性細線が前記細線片の間にあるスリットで分割されており、
前記スリットが重なり合う前記表示領域の色領域が、当該スリットに前記第１方向と直交する第２方向に最も近いスリットが重なり合う前記表示領域の色領域と異なる色である、タッチ検出機能付き表示装置。
【０１２６】
（２）前記スリットが重なり合う前記表示領域の色領域が、当該スリットに前記第１方向に最も近いスリットが重なり合う前記表示領域の色領域と異なる色である、前記（１）に記載のタッチ検出機能付き表示装置。
【０１２７】
（３）前記第２導電性細線は、前記第１方向と平行に複数あり、
前記第２方向に第１の配列ピッチで配置された第１細線片と、
前記第２方向に前記第１の配列ピッチとは異なる間隔である第２の配列ピッチで配列された第２細線片とを含み、
前記第１細線片と、前記第２細線片とは、前記スリットで分割されている、前記（１）又は前記（２）に記載のタッチ検出機能付き表示装置。
【０１２８】
（４）前記第１細線片と、前記第２細線片とは、前記第１方向の長さが同じである、前記（１）から前記（３）のいずれか１つに記載のタッチ検出機能付き表示装置。
【０１２９】
（５）前記第１導電性細線は、画素配列方向と平行に複数あり、隣り合う第１導電性細線の配列ピッチが、前記第１の配列ピッチと、前記第２の配列ピッチとを部分的に含むように、配置されている、前記（３）又は前記（４）に記載のタッチ検出機能付き表示装置。
【０１３０】
（６）前記第２導電性細線は、第１端部と第２端部とを結んだ直線状の前記細線片を複数含み、隣り合う直線状の前記細線片のうち一方の直線状の細線片における前記第２端部と他方の直線状の細線片における前記第１端部とが接続される部分を屈曲部として含み、前記一方の直線状の細線片が前記第１方向に対して角度を有して延び、他方の直線状の細線片が前記屈曲部で前記第１方向に対する角度が変わるように前記一方の直線状の細線片と異なる方向に延びている、前記（１）又は前記（２）に記載のタッチ検出機能付き表示装置。
【０１３１】
（７）前記屈曲部における前記第１方向に対する角度を第１角度とした場合、当該屈曲部から前記第１方向に最も近い屈曲部における、前記第１方向に対する角度が第１角度とは異なる第２角度を有する、前記（６）に記載のタッチ検出機能付き表示装置。
【０１３２】
（８）前記第１導電性細線は、交差部を有する網目状になっており、前記第２導電性細線は、前記交差部に対応する部分が前記スリットになっている、前記（１）から前記（７）のいずれか１つに記載のタッチ検出機能付き表示装置。
【０１３３】
（９）基板と、
前記基板の表面と平行な面に、複数の色領域で構成される画素が行列状に配置される表示領域と、
前記基板の表面と平行な面上の第１方向に延在する第１導電性細線を含む、タッチ検出電極と、
前記基板の表面に垂直な方向において前記第１導電性細線がない領域に設けられ第２導電性細線を複数含む、ダミー電極と、
前記タッチ検出電極に対して静電容量を有する駆動電極と、
前記表示領域に画像を表示する機能を有する表示機能層と、を含み、
前記第２導電性細線は、画素配列方向と平行に複数あり、
前記第１方向と異なる方向に延びる部分を有し、かつ前記第１方向と直交する第２方向に第１の配列ピッチで配置された第１細線片と、
前記第１方向と異なる方向に延びる部分を有し、かつ前記第１細線片と前記第１方向の長さが同じであって、前記第２方向に前記第１の配列ピッチとは異なる間隔である第２の配列ピッチで配列された第２細線片とを含み、
前記第１細線片と、前記第２細線片とは、前記第１方向に重なり合わないように並び、前記第１細線片の１つの端部と、前記第２細線片の１つの端部が、前記第２方向に位置し、かつ重なり合わないことでスリットになり分割されている、タッチ検出機能付き表示装置。
【０１３４】
（１０）タッチ検出機能付き表示装置を備える電子機器であって、前記タッチ検出機能付き表示装置は、前記（１）から前記（９）のいずれか１つに記載のタッチ検出機能付き表示装置である、電子機器。
【符号の説明】
【０１３５】
１  タッチ検出機能付き表示装置
２  画素基板
３  対向基板
６  液晶層
１０  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
２４  絶縁層
３０  タッチ検出デバイス
３１  ガラス基板
３２  カラーフィルタ
３２Ｒ、３２Ｇ、３２Ｂ、３２Ｗ  色領域
３５  偏光板
４０  タッチ検出部
Ａｄ  表示領域
ＣＯＭＬ  駆動電極
Ｄｘ  画素直交方向
Ｄｙ  画素配列方向
ＧＣＬ  走査線
ｍｅｓｈ１、ｍｅｓｈ２  包囲領域
ＭＬ、ＭＬ１、ＭＬ２、  導電性細線（第１導電性細線）
ＤＬ、ＤＬ１０、ＤＬ１１、ＤＬ１２、ＤＬ１３、ＤＬ２０、ＤＬ２１、ＤＬ２２、ＤＬ２３、ＤＬ３０、ＤＬ３１、ＤＬ３２、ＤＬ３３、ＤＬ４０、ＤＬ４１、ＤＬ４２、ＤＬ４３  導電性細線（第２導電性細線）
Ｐｉｘ  画素
ＳＧＬ  信号線
ＳＰｉｘ  副画素
Ｓｔ  スリット
ＴＤＡ  検出領域
ＴＤＣ  屈曲部
ＴＤＤ  ダミー電極
ＴＤＧ  検出配線
ＴＤＬ  タッチ検出電極
ＴＤＸ  交差部
【図１】
2014191650.tif 000003
【図２】
2014191650.tif 000004
【図３】
2014191650.tif 000005
【図４】
2014191650.tif 000006
【図５】
2014191650.tif 000007
【図６】
2014191650.tif 000008
【図７】
2014191650.tif 000009
【図８】
2014191650.tif 000010
【図９】
2014191650.tif 000011
【図１０】
2014191650.tif 000012
【図１１】
2014191650.tif 000013
【図１２】
2014191650.tif 000014
【図１３】
2014191650.tif 000015
【図１４】
2014191650.tif 000016
【図１５】
2014191650.tif 000017
【図１６】
2014191650.tif 000018
【図１７】
2014191650.tif 000019
【図１８】
2014191650.tif 000020
【図１９】
2014191650.tif 000021
【図２０】
2014191650.tif 000022
【図２１】
2014191650.tif 000023
【図２２】
2014191650.tif 000024
【図２３】
2014191650.tif 000025
【図２４】
2014191650.tif 000026
【図２５】
2014191650.tif 000027
【図２６】
2014191650.tif 000028
【図２７】
2014191650.tif 000029
【図２８】
2014191650.tif 000030
【図２９】
2014191650.tif 000031
【図３０】
2014191650.tif 000032
【図３１】
2014191650.tif 000033
【図３２】
2014191650.tif 000034
【図３３】
2014191650.tif 000035
【図３４】
2014191650.tif 000036
【図３５】
2014191650.tif 000037
【図３６】
2014191650.tif 000038
【図３７】
2014191650.tif 000039
【図３８】
2014191650.tif 000040
【図３９】
2014191650.tif 000041
【図４０】
2014191650.tif 000042
【図４１】
2014191650.tif 000043
【図４２】
2014191650.tif 000044